(57)【特許請求の範囲】
【請求項１】
一方の型と、
一方の型に嵌合され、一方の型との間に平板状の基板に対して塗工液を下向きに吐出する吐出口を形成する他方の型とを備え、一対の型と他方の型との間に形成された吐出口は平板状の基板に対して直交し、
一方の型の先端部は、他方の型の先端部より基板側へ突出して突出部を形成し、一方の型の先端部と他方の型の先端部との間に塗工液の液溜りを形成し、
他方の型の先端部は断面が鋭角となるよう形成され塗工液を用いて初期ビードを形成することを特徴とするダイヘッド。
【請求項２】
一方の型の少なくとも突出部の吐出口側表面に、濡れ性を高める表面処理を施したことを特徴とする請求項１記載のダイヘッド。
【発明の詳細な説明】
【０００１】
【発明の属する技術分野】
本発明は基板に対して塗工液を塗布するダイヘッドに係り、とりわけ塗布開始時において塗工液の厚膜化を確実に防止することができるダイヘッドに関する。
【０００２】
【従来の技術】
従来より、基板に対して塗工液を塗布するダイヘッドとして、吐出口を形成する一対の型を有するものが知られている。
【０００３】
ダイヘッド１０は、図６（ａ）に示すように、一方の型１１と他方の型１２とを有し、一方の型１１と他方の型１２との間に吐出口１８を形成したものである。このようなダイヘッド１０により基板Ｗに対して塗工液３０を塗布する場合、塗布開始時において塗工液３０の初期ビードが大きくなり、このため塗布開始直後に塗工液の膜厚が大きくなってしまうことがある。
【０００４】
このような塗工液の膜厚の増大を防止するものとして、図６（ｂ）に示すように一方の型１１の先端部と他方の型１２の先端部の幅を狭くしたり、あるいはダイヘッド１０と基板Ｗとの間の間隙を小さくすることが考えられている。
【０００５】
【発明が解決しようとする課題】
しかしながら、塗工液の膜厚の増大を防止するため、一方の型１１の先端部と他方の型１２の先端部の幅を狭くした場合、両型１１，１２の先端部が加工による金属バリの影響を受け、この金属バリにより塗膜スジが生じることがある。
【０００６】
またダイヘッド１０と基板Ｗとの間の間隙を小さくしても、塗膜スジおよび塗膜ムラを招くことがあり、いずれの場合も塗布開始直後においてビードの小型を図ることはむずかしい。
【０００７】
本発明にこのような点を考慮してなされたものであり、塗布開始時において初期ビード形成時間の短縮化と小型化を図ることができ、これにより塗工液の厚膜化を確実に抑えることができるダイヘッドを提供することを目的とする。
【０００８】
【課題を解決するための手段】
本発明は、一方の型と、一方の型に嵌合され、一方の型との間に平板状の基板に対して塗工液を下向きに吐出する吐出口を形成する他方の型とを備え、一対の型と他方の型との間に形成された吐出口は平板状の基板に対して直交し、一方の型の先端部は、他方の型の先端部より基板側へ突出して突出部を形成し、一方の型の先端部と他方の型の先端部との間に塗工液の液溜りを形成し、他方の型の先端部は断面が鋭角となるよう形成され塗工液を用いて初期ビードを形成することを特徴とするダイヘッドである。
【０００９】
本発明によれば、一方の型の先端部に他方の型より突出する突出部を設けることにより、この突出部により一方の型の先端部と他方の型の先端部との間に塗工液の液溜りを形成することができる。このため、吐出口から小量の塗工液をこの液溜りに供給するだけで、液溜りに比較的小型の初期ビードを迅速に形成することができる。
【００１０】
【発明の実施の形態】
以下、図面を参照して本発明の実施の形態について説明する。図１乃至図４は本発明によるダイヘッドの一実施の形態を示す図である。
【００１１】
図１に示すように、ダイヘッド１０は一方の型１１と、一方の型１１に嵌合され一方の型１１との間に吐出口１８を形成する他方の型１２とを備え、一方の型１１と他方の型１２との間に設けられた通路１５から塗工液３０を吐出口１８へ導いて、基板Ｗに対して排出するようになっている。
【００１２】
このうち一方の型１１は下流側の型となっており、また他方の型１２は上流側の型となっている。さらに、一方の型１１の先端部は他方の型により基板Ｗ側へ突出して突出部１１ａを形成し、この突出部１１ａにより一方の型１１の先端部と他方の型１２の先端部との間に塗工液３０の液溜り１３を形成している。
【００１３】
このように一方の型１１の先端部を他方の型１２の先端に対して段差Ｈだけ突出させて突出部１１ａを形成することにより、塗布開始時における初期ビード３０ａを小量の塗工液３０により短時間で形成することができ、初期ビード３０ａの小型化を図ることができる。
【００１４】
すなわち、図２（ａ）（ｂ）および図３（ａ）に示すように、一方の型１１の先端部を他方の型１２の先端部に対して段差Ｈだけ突出させて突出部１１ａを形成し、このように形成した先端部１１ａにより一方の型１１の先端部と他方の型１２の先端部との間に突出部１１ａを壁面とする液溜り１３を形成することができる。このため、塗布開始時にこの液溜り１３に塗工液３０を供給する場合、小量の塗工液３０でも液溜り１３に沿って塗工液３０が急速に広がっていく。これにより、液溜り１３内に短時間でかつ確実に塗工液の初期ビード３０ａを形成することができる。また初期ビード３０ａを少量の塗工液３０により形成することができるので、初期ビード３０ａの小型化を図って、塗布開始時において塗工液３０の膜厚化を防止することができる。
【００１５】
ここで図２（ａ）は本発明によるダイヘッドを示す図であり、図２（ｂ）は図２（ａ）のＢ部拡大図であり、図２（ｃ）に比較例のダイヘッドを示す図であり、図２（ｄ）は図２（ｃ）のＤ部拡大図である。
【００１６】
また図３（ａ）は本発明によるダイヘッドの斜視図であり、図３（ｂ）は比較例を示す図である。
【００１７】
一方、図２（ｃ）（ｄ）および図３（ｂ）に示すように、一方の型１１の先端部と他方の型１２の先端部との間に段差を設けない比較例においては、一方の型１１の先端部と他方の型１２の先端部が平坦状となるため、この一方の型１１の先端部と他方の型１２の先端部で初期ビード３０ａを形成するためには比較的多量の塗工液３０が必要となり、初期ビード３０ａの小型化を図ることはむずかしい。
【００１８】
ところで図４（ａ）（ｂ）に示すように、一方の型１１と他方の型１２のうち、通路１５内壁と、一方の型１１の突出部１１ａの吐出口１８側の表面と、突出部１１ａの先端側表面と、他方の型１２の先端側表面とに濡れ性を高める表面処理が行われている。他方、一方の型１１の傾斜外面１１ｂと他方の型１２の傾斜外面１２ｂには、揆水性を高める表面処理が行われている。
【００１９】
ここで図４（ａ）はダイヘッド１０の側断面図であり、図４（ｂ）は図４（ａ）の拡大図である。このように一方の型１１と他方の型１２のうち各々の傾斜外面１１ｂ，１２ｂに揆水性を高める表面処理を施し、その他の部分に濡れ性を高める表面処理を行なうことにより、塗工液３０が傾斜外面１１ｂ，１２ｂへ回り込むことはなく、初期ビード３０ａをより確実に小型化することができる。
【００２０】
次にこのような構成からなる本実施の形態の作用について説明する。
【００２１】
図１乃至図４において、ダイヘッド１０の一方の型１１の先端部を他方の型１２の先端部から段差Ｈだけ突出させて突出部１１ａを形成し、この突出部１１ａにより塗工液の液溜り１３を形成したので、少量の塗工液３０によって初期ビード３０ａを確実に形成することができる。
【００２２】
次にダイヘッド１０に対して基板Ｗを走行させることにより、基板Ｗ上に塗工液３０を精度良く塗布することができる。この場合、初期ビード３０ａを小型化することができるので、塗工液３０の膜厚が異常に厚くなることはなく、膜厚の均一化を図ることができる。
【００２３】
次に図５（ａ）（ｂ）により本発明の変形例について説明する。
【００２４】
図５（ａ）（ｂ）に示す変形例は、ダイヘッド１０のうちの他方の型１２の先端部を平坦にすることなく断面が鋭角となるよう形成したものであり、他は図１乃至図４に示す実施の形態と略同一である。
【００２５】
他方の型１２の先端部を断面が鋭角となるよう形成した場合（図５（ａ））、他方の型１２の先端部を平坦に形成した場合（図５（ｂ））に比べて、より少量の塗工液３０を用いて確実に初期ビード３０ａを形成することができる。このため、塗工液の膜厚を薄く抑えて、基板Ｗに均一の膜厚の塗工液を塗布することができる。
【００２６】
【発明の効果】
以上のように本発明によれば、一方の型の先端部に突出部を設けることにより、この突出部により一方の型の先端部と他方の型の先端部との間に液溜りを形成することができる。このため、この液溜りに比較的少量の塗工液を供給するだけで小型の初期ビードを形成することができる。これにより基板上に形成された塗工液の膜厚を異常に厚くすることなく膜厚の均一化を図ることができる。
【図面の簡単な説明】
【図１】本発明によるダイヘッドの一実施の形態を示す断面図。
【図２】本発明によるダイヘッドの作用効果を示す図。
【図３】本発明によるダイヘッドを示す斜視図。
【図４】本発明によるダイヘッドの表面処理状態を示す図。
【図５】本発明によるダイヘッドの変形例を示す図。
【図６】従来のダイヘッドを示す図。
【符号の説明】
１０  ダイヘッド
１１  一方の型
１１ａ  突出部
１１ｂ  傾斜外面
１２  他方の型
１２ｂ  傾斜外面
１３  液溜り
１５  通路
１８  吐出口
３０  塗工液
３０ａ  初期ビード
Ｗ  基板
【図１】
0004663073.tif 000002
【図２】
0004663073.tif 000003
【図３】
0004663073.tif 000004
【図４】
0004663073.tif 000005
【図５】
0004663073.tif 000006
【図６】
0004663073.tif 000007